(57)【特許請求の範囲】
【請求項１】
縦型の貯湯槽と、この貯湯槽に設置した加熱装置と、貯湯槽内の前記加熱装置直上の湯を貯湯槽内底部に送給すべく配管されて流動させる流動装置と、この流動装置を適宜制御する制御装置とからなり、前記貯湯槽は、下部に設けた水供給管から貯湯槽内に水を供給し、上部に設けた出湯管から湯を外部に出湯できるよう形成し、前記加熱装置は、加熱部を貯湯槽内の略中間部、或いは中間部より上方に設置して、貯湯槽内の加熱部上方の水又は湯を制御加熱できるよう形成し、前記流動装置は、貯湯槽内の加熱部が設置されている高さの位置に吸込口を設け、貯湯槽の外部にポンプを付設し、貯湯槽内底部に送給口を設け、ポンプにより、加熱部直上の湯を吸込口から吸込んで、貯湯槽内底部に送給できるように配管して形成し、前記制御装置は、貯湯槽上部の湯の温度、及びこの湯の温度と貯湯槽下部の湯との温度差を感知して、貯湯槽内の加熱部直上の湯の貯湯槽内底部への送給を適宜制御できるよう形成したことを特徴とする貯湯槽装置。
【請求項２】
貯湯槽内を加熱装置の加熱部の位置を境にして上方を加熱ゾーン、下方を貯湯ゾーンとし、加熱ゾーンに第１温度センサーを配し、加熱ゾーンとなる流動装置の吸込口近傍に第２温度センサーを配し、貯湯ゾーンに第３温度センサーを配し、加熱ゾーンの第１温度センサーと第２温度センサーにより、その位置の湯が出湯すべき許容温度範囲の上限温度となったのを感知したときには、加熱装置による加熱を停止させ、且つ出湯すべき許容温度範囲の下限温度よりも低下したのを感知したときには、加熱装置による加熱を開始させるべく制御加熱させ、流動装置を制御する制御装置は、第２温度センサーにより、その位置の湯が、貯湯ゾーンに送給されても出湯する湯の温度が出湯許容温度範囲を逸脱しない程度の前記出湯許容温度範囲における設定温度となったのを感知したときには、流動装置のポンプを作動させ、且つ出湯すべき許容温度範囲の下限温度よりも低下したのを感知したときには、そのポンプの作動を停止させ、しかも、第３温度センサーが前記出湯許容温度範囲の上限温度となったのを感知したときには、流動装置のポンプの作動を優先的に停止できるように形成したことを特徴とする請求項１記載の貯湯槽装置。
【発明の詳細な説明】
【０００１】
【産業上の利用分野】
この発明は、例えば、ホテルやその他大規模事業所において、加熱開始後に所定温度の湯を早急に供給できるようにしながら、湯の使用量が多くなった時もその使用量に対応した量の湯を常時安定して供給できる貯湯槽装置に関するものである。
【０００２】
【従来の技術】
従来、この種の貯湯槽装置は、例えば、図３に示す構造のものが一般的である。
【０００３】
すなわち、従来の貯湯槽装置Ｈ１は、貯湯槽１１と、この貯湯槽１１内の下部に設置した加熱部１２ａを有する加熱装置１２と、貯湯槽１１内における加熱装置１２の上方の適位置に配した温度センサー１４とからなり、貯湯槽１１は、下部側方から貯湯槽１１内に給水し、上部より湯を外部に出湯すべく形成したものであり、貯湯槽１１内の大部分の水である加熱部上方の水を加熱して、前記温度センサーによってその水温を感知して適宜制御し、所定温度の大量の湯を貯湯して出湯する方式のものであった。
【０００４】
【発明が解決しようとする課題】
ところが、前述のような貯湯槽装置Ｈ１は、貯湯槽１１内の下部に加熱装置１２の加熱部１２ａが配してあるので、所定温度の大量の湯を貯湯する方式であるがため、加熱部１２ａの容量は多いものの、貯湯分を使い切ってしまうと追炊きが遅く、一時的に多量の湯が出湯される場合、所定給湯温度以下の湯が出湯されてしまうという事態がしばしば起っていた。
【０００５】
又、この貯湯槽装置Ｈ１は、加熱された水は比重が軽くなるので上方に移動しようとするため、加熱装置１２の加熱部１２ａの下方に位置する水は加熱されることがなく、その部分が、いわゆるデッドゾーンとして存在することになってしまう問題点もあった。
【０００６】
そこで、この発明は、上述した問題点等に鑑み、ホテルやその他大規模の事業所のように湯の使用量が多い場合であっても、加熱開始後に熱湯を早急に供給できるようにしながら、湯の使用量が多くなってもその使用量に対応した量の出湯すべき許容温度範囲の湯を常時供給でき、しかも、前述したデッドゾーンをなくす貯湯槽装置の提供を課題として創出されたものである。
【０００７】
【課題を解決するための手段】
しかして、請求項１にあっては、縦型の貯湯槽１と、この貯湯槽１に設置した加熱装置２と、貯湯槽１内の前記加熱装置２直上の湯を貯湯槽１内底部に送給すべく配管されて流動させる流動装置３と、この流動装置３を適宜制御する制御装置とからなり、前記貯湯槽１は、下部に設けた水供給管１ａから貯湯槽１内に水を供給し、上部に設けた出湯管１ｂから湯を外部に出湯できるよう形成し、前記加熱装置２は、加熱部２ａを貯湯槽１内の略中間部、或いは中間部より上方に設置して、貯湯槽１内の加熱部２ａ上方の水又は湯を制御加熱できるよう形成し、前記流動装置３は、貯湯槽１内の加熱部２が設置されている高さの位置に吸込口３ｂを設け、貯湯槽１の外部にポンプ３ａを付設し、貯湯槽１内底部に送給口を設け、ポンプ３ａにより、加熱部２直上の湯を吸込口３ｂから吸込んで、貯湯槽１内底部に送給できるように配管して形成し、前記制御装置は、貯湯槽１上部の湯の温度、及びこの湯の温度と貯湯槽１下部の湯との温度差を感知して、貯湯槽１内の加熱部２直上の湯の貯湯槽１内底部への送給を適宜制御できるよう形成することにより、上述した課題を解決するものである。
【０００８】
又、請求項２にあっては、貯湯槽１内を加熱装置２の加熱部２ａの位置を境にして上方を加熱ゾーンＴ、下方を貯湯ゾーンＷとし、加熱ゾーンＴに第１温度センサー４ａを配し、加熱ゾーンＴとなる流動装置３の吸込口３ｂ近傍に第２温度センサー４ｂを配し、貯湯ゾーンＷに第３温度センサー４ｃを配し、加熱ゾーンＴの第１温度センサー４ａと第２温度センサー４ｂにより、その位置の湯が出湯すべき許容温度範囲の上限温度となったのを感知したときには、加熱装置２による加熱を停止させ、且つ出湯すべき許容温度範囲の下限温度よりも低下したのを感知したときには、加熱装置２による加熱を開始させるべく制御加熱させ、流動装置３を制御する制御装置は、第２温度センサー４ｂにより、その位置の湯が、貯湯ゾーンＷに送給されても出湯する湯の温度が出湯許容温度範囲を逸脱しない程度の前記出湯許容温度範囲における設定温度となったのを感知したときには、流動装置３のポンプ３ａを作動させ、且つ出湯すべき許容温度範囲の下限温度よりも低下したのを感知したときには、そのポンプ３ａの作動を停止させ、しかも、第３温度センサー４ｃが前記出湯許容温度範囲の上限温度となったのを感知したときには、流動装置３のポンプ３ａの作動を優先的に停止できるように形成することにより、上述した課題を解決するものである。
【０００９】
【作用】
この発明に係る貯湯槽装置は、貯湯槽と、この貯湯槽に設置した加熱装置と、貯湯槽内の前記加熱装置直上の湯を貯湯槽内底部に送給すべく配管されて流動させる流動装置と、この流動装置を適宜制御する制御装置とからなるから、加熱装置によって加熱された湯は、流動装置によって貯湯槽内底部に送給するので、完全に循環させられるから、加熱されないデッドゾーンの発生は全くなくなる。
【００１０】
そして、貯湯槽は、下部に設けた水供給管から貯湯槽内に水を供給し、上部に設けた出湯管から湯を外部に出湯できるよう形成してあるから、加熱装置によって加熱された湯は上方に向って移動することとなり、その上方に移動した加熱されている湯をそのまま直接出湯できるため、加熱開始後に熱湯は早急に供給される。
【００１１】
又、加熱装置は、加熱部を貯湯槽内の略中間部、或いは中間部より上方に設置して、貯湯槽内の加熱部上方の水又は湯を制御加熱できるよう形成し、前記流動装置は、貯湯槽内の加熱部が設置されている高さの位置に吸込口を設け、貯湯槽の外部にポンプを付設し、貯湯槽内底部に送給口を設け、ポンプにより、加熱部直上の湯を吸込口から吸込んで、貯湯槽内底部に送給できるように配管して形成し、前記制御装置は、貯湯槽上部の湯の温度、及びこの湯の温度と貯湯槽下部の湯との温度差を感知して、貯湯槽内の加熱部直上の湯の貯湯槽内底部への送給を適宜制御できるよう形成したことにより、所定温度の熱湯を直接貯湯槽の上部から早急に供給でき、加熱装置の加熱部の上の湯がその所定温度の範囲となった状態で加熱部の直上の湯を貯湯槽の底部へ向ってポンプにより送給することで、加熱部の下方の水も暖めることとなり、最終的には貯湯槽内の湯全体が所定温度の熱湯となる。
【００１２】
特に、貯湯槽内を加熱装置の加熱部の位置を境にして上方を加熱ゾーン、下方を貯湯ゾーンとし、加熱ゾーンに第１温度センサーを配し、加熱ゾーンとなる流動装置の吸込口近傍に第２温度センサーを配し、貯湯ゾーンに第３温度センサーを配し、加熱ゾーンの第１温度センサーと第２温度センサーにより、その位置の湯が出湯すべき許容温度範囲の上限温度となったのを感知したときには、加熱装置による加熱を停止させ、且つ出湯すべき許容温度範囲の下限温度よりも低下したのを感知したときには、加熱装置による加熱を開始させるべく制御加熱させ、流動装置を制御する制御装置は、第２温度センサーにより、その位置の湯が、貯湯ゾーンＷに送給されても出湯する湯の温度が出湯許容温度範囲を逸脱しない程度の前記出湯許容温度範囲における設定温度となったのを感知したときには、流動装置のポンプを作動させ、且つ出湯すべき許容温度範囲の下限温度よりも低下したのを感知したときには、そのポンプの作動を停止させ、しかも、第３温度センサーが前記出湯許容温度範囲の上限温度となったのを感知したときには、流動装置のポンプの作動を優先的に停止できるように形成してあるから、まず、加熱ゾーンの湯を加熱装置によって出湯すべき許容温度範囲内とすべく加熱し、その温度範囲まで湯温が上昇すると、その加熱ゾーンの第１温度センサーでその温度を感知する。
【００１３】
そして、流動装置の吸込口近傍の第２温度センサー部分で感知した温度が、前記出湯すべき許容温度範囲のうち、加熱ゾーンの湯を貯湯ゾーンに送給しても出湯する湯の温度が出湯許容温度範囲を逸脱しない程度の前記出湯許容温度範囲における設定温度となった時に、前記流動装置を作動させて加熱ゾーンの湯を貯湯槽内底部に送給し、貯湯ゾーンの水に湯が混合されて水温が上昇して湯となってゆく。
【００１４】
そこで、貯湯ゾーンの湯が前記出湯許容温度範囲の上限温度となったのを貯湯ゾーンの第３温度センサーが感知したとき、流動装置のポンプの作動を停止させるようにする。
【００１５】
それにより、加熱されないデッドゾーンの発生は全くなくなり、湯の使用量が多くても常に安定して出湯許容温度範囲の湯が供給されるようになる。
【００１６】
【実施例】
以下、図面を参照してこの発明の実施例を説明すると次の通りである。
【００１７】
図に示す符号１は縦型の貯湯槽であり、下部の水供給管１ａから貯湯槽１内に水を供給し、上部の出湯管１ｂから湯を外部に出湯できるよう形成してあり、水供給管１ａからの給水は、前記出湯によって減った分の水を自動的に供給されるよう形成されている。
【００１８】
又、この貯湯槽１には加熱装置２が設置されている。この加熱装置２は、例えば、蒸気を通過させることで加熱する大容量の加熱部２ａを有していて、その加熱部２ａは、貯湯槽１内の略中間部、或いは中間部よりも若干上方の高さの位置に設置してある。そして、その加熱部２ａを境にして、貯湯槽１の上方を加熱ゾーンＴとし、下方を貯湯ゾーンＷとする。
【００１９】
更に、貯湯槽１には、貯湯槽１内の水或いは湯を循環させるべく流動装置３が設置されている。
【００２０】
この流動装置３は、貯湯槽１内の加熱部２ａの設置されている高さの位置に吸込口３ｂを設け、貯湯槽１の外部にポンプ３ａを付設し、貯湯槽１内底部に送給口を設け、ポンプ３ａにより、加熱部２直上の湯を吸込口３ｂから吸込んで、送給口から貯湯槽１内底部に送給できるように配管して形成されている。
【００２１】
このように形成した貯湯槽１には、その加熱ゾーンＴ及び貯湯ゾーンＷにそれぞれ少なくとも一つ以上の温度センサー４ａ，４ｃを配すると共に、流動装置３の吸込口３ｂ近傍に温度センサー４ｂを配して温度センサー４ｃと共に少なくとも流動装置３を制御する制御装置の役目を果たすようにしてある。具体的には、貯湯槽１の加熱ゾーンＴの略中間位置に第１温度センサー４ａを配し、流動装置３の吸込口３ｂ近傍に第２温度センサー４ｂを配し、貯湯ゾーンＷの略中間位置には第３温度センサー４ｃをそれぞれ配してある。
【００２２】
そして、第１温度センサー４ａにより、その位置の湯が出湯すべき許容温度範囲の上限温度となったのを感知したときに、加熱装置２による加熱を停止させ、且つ出湯すべき許容温度範囲の下限温度よりも低下したのを感知したときに、加熱装置２による加熱を開始させるべく制御加熱させ、また、第２温度センサー４ｂにより、その位置の湯が貯湯ゾーンＷに送出されても出湯する湯の温度が出湯許容温度範囲を逸脱しない程度の前記出湯許容温度範囲における設定温度となったのを感知したときに、流動装置３のポンプ３ａを作動させ、且つ出湯すべき許容温度範囲の下限温度よりも低下したのを感知したときに、ポンプ３ａの作動を停止させるように制御し、更に、第３温度センサー４ｃにより、貯湯ゾーンＷの湯の温度が前記出湯許容温度範囲の上限温度となったのを感知したときに、流動装置３のポンプ３ａの作動を優先的に停止させるべく制御できるよう形成してある。
【００２３】
更に、詳細な制御にあっては、例えば、出湯許容温度範囲を５０℃〜６０℃とした場合、第１温度センサー４ａにより、その位置の湯が６０℃となったのを感知したときに、加熱装置２による加熱を停止させ、且つ５０℃よりも低下したのを感知したときに、加熱装置２による加熱を開始させるべく制御し、第２温度センサー４ｂにより、その位置の湯が例えば５５℃となったのを感知したときに、流動装置３のポンプ３ａを作動させ、且つ５０℃となったのを感知したときに、そのポンプ３ａの作動を停止させるように制御し、第３温度センサー４ｃにより、貯湯ゾーンＷの湯の温度が６０℃となったのを感知したときに、流動装置３のポンプ３ａの作動を優先的に停止させるべく制御できるよう形成する。
【００２４】
又、このように形成された各温度センサー４ａ，４ｂ，４ｃの制御による貯湯槽１内の湯温の変化を、図３に示す従来の貯湯槽装置Ｈ１と比較して説明すると次の通りである。
【００２５】
すなわち、貯湯槽装置としてその使用能力を、例えば、容量１０００リットル、加熱装置２、１２は４３０００ｋｃａｌ／ｈｒ、出湯量１５５０リットル／ｈｒとすると、本出願の貯湯槽装置Ｈの水温の推移図を図２、従来の貯湯槽装置Ｈ１の水温の推移図を図４に示す。
【００２６】
これらの水温の推移図をみると、まず、本出願の貯湯槽装置Ｈの場合、加熱ゾーンＴの水量が容量１０００リットルの半分以下であるので約２２分で許容温度範囲の下限温度である５０℃に達し、その熱湯は、その時点から出湯可能になる（図示ａ地点）。これに対して、従来の貯湯槽装置Ｈ１の場合、貯湯槽１１の下部に加熱装置１２が配されているので、貯湯槽１１内の水全体を加熱することになり、出湯可能になるには約４０〜５０分程度の時間を要する（図示ａ１地点）。従って、出湯可能になるまでの時間が本出願の貯湯槽装置Ｈの場合半分で良い。
【００２７】
そして、第２温度センサー４ｂにより５５℃の湯温を感知すると流動装置３のポンプ３ａを作動させ、吸込口３ｂ近傍の湯を貯湯槽１の底部に送り出すようにする。そうすると、貯湯ゾーンＷの水は加熱ゾーンＴの熱湯が混合されるので水温が上昇してゆき、それを第３温度センサー４ｃによって感知し、やがて貯湯ゾーンＷの湯温も５０℃以上となり、第３温度センサー４ｃが６０℃を感知したときに流動装置３のポンプ３ａを停止させるようにする。それまでの時間が加熱開始から約４０分程度である（図示ｂ地点）。
【００２８】
ここで、図２及び図４中、波線部分は加熱装置２が作動している時間帯であり、太線部分は流動装置３の作動している時間帯である。
【００２９】
その後、本出願の貯湯槽装置Ｈと従来の貯湯槽装置Ｈ１とは、それぞれ出湯してゆき、出湯した分水供給管１ａから自動的に給水されるので徐々に水温は低下してゆくが、第１温度センサー４ａによって加熱ゾーンＴの湯温が、或いは温度センサー１４によって貯湯タンク１１の湯温が出湯許容温度範囲の５０℃〜６０℃であればその間は加熱装置２，１２は停止した状態である。
【００３０】
そして、本出願の貯湯槽装置Ｈの場合、第１温度センサー４ａにて感知する湯温が６０℃よりも低くなって５０℃をきると、加熱装置２が作動するように第１温度センサー４ａから指示が出され加熱ゾーンＴの湯が加熱されてゆき、再び、前述した工程を繰り返すもので、第２温度センサー４ｂにより流動装置３の吸込口３ｂの近傍の温度が５５℃となったときに流動装置３を作動させて加熱ゾーンＴから貯湯ゾーンＷへ湯を送給し、貯湯ゾーンＷ内に存在する温度の低い湯或いは水と混ぜ合わせ湯の温度を上昇させ、第３温度センサー４ｃにてその貯湯ゾーンＷの湯温が６０℃となったときに、流動装置３のポンプ３ａを停止させるようにし、第１温度センサー４ａの感知温度が６０℃を越えると、加熱装置２の加熱を停止させるようにするものである。従って、この工程は、いわゆる追い炊き状態となり、加熱ゾーンＴの湯を加熱し、その温度が５５℃を越えたら自動的に流動装置３を作動させて加熱ゾーンＴの湯温が出湯許容温度範囲を５０℃〜６０℃を逸脱しない程度に貯湯ゾーンＷに送給するので、出湯される湯温はその時点で温度低下のギャップが極めて小さく（図示のｃ地点）、常に出湯許容温度範囲を逸脱しない安定した状態に保たれているものである。
【００３１】
これに対して、従来の貯湯槽装置Ｈ１の場合は、温度センサー１４が略中間部分に設置され且つ加熱装置１２が貯湯タンク１１の底部分近傍に設置されているので、貯湯タンク１１内全体の湯温が低下した状態で全体を追い炊きする状態となり、全体を加熱しているうちに出湯する湯の温度が出湯許容温度範囲を逸脱してしまうことがあって、その温度低下のギャップは非常に大きく（図示のｃ１地点）、出湯する湯温が出湯許容温度範囲を逸脱してしまったり、或いは、その許容温度範囲となるまで出湯を停止しなければならないことになってしまう。
【００３２】
又、従来の貯湯槽装置Ｈ１の場合、加熱装置１２の加熱部１２ａの下の部分はどうしても加熱されないので水がそのまま残留してしまう、いわゆるデッドゾーンが存在するが、本出願の貯湯槽装置Ｈの場合は流動装置３により加熱ゾーンＴの湯を貯湯槽１内の底部分に送り出すのでそのデッドゾーンは全くなくなり、効率の良い優れた貯湯槽装置Ｈとなるものである。
【００３３】
ここで、図示の場合には各温度センサー４ａ，４ｂ，４ｃがそれぞれ１個配してあるが、それよりも多く配すればより細かな制御ができるものであるのでそれぞれ２箇所以上配しても良いことはいうまでもない。
【００３４】
ここで、前述した実施例の場合は、縦型の貯湯槽１について説明したが、横型の貯湯槽であっても同様となるものである。
【００３５】
【発明の効果】
従って、この発明は、縦型の貯湯槽１と、この貯湯槽１に設置した加熱装置２と、貯湯槽１内の前記加熱装置２直上の湯を貯湯槽１内底部に送給すべく配管されて流動させる流動装置３と、この流動装置３を適宜制御する制御装置とからなるから、加熱装置２によって加熱された湯は、流動装置３によって貯湯槽１内底部に送給するので完全に循環させられ、加熱されないデッドゾーンの発生は全くなくすことができ、無駄なスペースのない貯湯槽１とすることができる。
【００３６】
そして、貯湯槽１は、下部に設けた水供給管１ａから貯湯槽１内に水を供給し、上部に設けた出湯管１ｂから湯を外部に出湯できるよう形成してあるから、加熱装置２によって加熱された湯は上方に向って移動することとなり、その上方に移動した加熱されている湯をそのまま直接出湯できるため、加熱開始後に熱湯は早急に供給することができる。
【００３７】
又、加熱装置２は、加熱部２ａを貯湯槽１内の略中間部、或いは中間部より上方に設置して、貯湯槽１内の加熱部２ａ上方の水又は湯を制御加熱できるよう形成し、前記流動装置３は、貯湯槽１内の加熱部２が設置されている高さの位置に吸込口３ｂを設け、貯湯槽１の外部にポンプ３ａを付設し、貯湯槽１内底部に送給口を設け、ポンプ３ａにより、加熱部２直上の湯を吸込口３ｂから吸込んで、貯湯槽１内底部に送給できるように配管して形成し、前記制御装置は、貯湯槽１上部の湯の温度、及びこの湯の温度と貯湯槽１下部の湯との温度差を感知して、貯湯槽１内の加熱部２直上の湯の貯湯槽１内底部への送給を適宜制御できるよう形成したことにより、所定温度の熱湯を直接貯湯槽１の上部から早急に供給でき、加熱装置２の加熱部２ａの上の湯がその所定温度の範囲となった状態で加熱部２ａ直上の湯を貯湯槽１の底部へ向ってポンプ３ａにより送給することで、加熱部２ａの下方の水も暖めることとなり、最終的には貯湯槽１内の湯全体を所定温度の熱湯とすることができる。
【００３８】
特に、貯湯槽１内を加熱装置２の加熱部２ａの位置を境にして上方を加熱ゾーンＴ、下方を貯湯ゾーンＷとし、加熱ゾーンＴに第１温度センサー４ａを配し、加熱ゾーンＴとなる流動装置３の吸込口３ｂ近傍に第２温度センサー４ｂを配し、貯湯ゾーンＷに第３温度センサー４ｃを配し、加熱ゾーンＴの第１温度センサー４ａと第２温度センサー４ｂにより、その位置の湯が出湯すべき許容温度範囲の上限温度となったのを感知したときには、加熱装置２による加熱を停止させ、且つ出湯すべき許容温度範囲の下限温度よりも低下したのを感知したときには、加熱装置２による加熱を開始させるべく制御加熱させ、流動装置３を制御する制御装置は、第２温度センサー４ｂにより、その位置の湯が、貯湯ゾーンＷに送給されても出湯する湯の温度が出湯許容温度範囲を逸脱しない程度の前記出湯許容温度範囲における設定温度となったのを感知したときには、流動装置３のポンプ３ａを作動させ、且つ出湯すべき許容温度範囲の下限温度よりも低下したのを感知したときには、そのポンプ３ａの作動を停止させ、しかも、第３温度センサー４ｃが前記出湯許容温度範囲の上限温度となったのを感知したときには、流動装置３のポンプ３ａの作動を優先的に停止できるように形成てあるから、まず、加熱ゾーンＴの湯を加熱装置２によって出湯すべき許容温度範囲内とすべく加熱し、その温度範囲まで湯温が上昇すると、その加熱ゾーンＴの第１温度センサー４ａでその温度を感知し、流動装置３の吸込口３ｂ近傍の第２温度センサー４ｂ部分で感知した温度が前記出湯すべき許容温度範囲のうち、加熱ゾーンＴの湯を貯湯ゾーンＷに送出しても出湯する湯の温度が出湯許容温度範囲を逸脱しない程度の前記出湯許容温度範囲における設定温度となった時に、前記流動装置３を作動させて加熱ゾーンＴの湯を貯湯槽１内底部に送給し、貯湯ゾーンＷの水に湯が混合して水温が上昇して湯となってゆき、加熱することができるものである。
【００３９】
そこで、貯湯ゾーンＷの湯が前記出湯許容温度範囲の上限温度となったのを貯湯ゾーンＷの第３温度センサー４ｃが感知したとき、流動装置３のポンプ３ａの作動を停止させるようにすると、前述した実施例にて詳細に説明したように、追い炊き状態での温度低下のギャップも極めて小さく、湯の使用量が多くても常に安定して出湯許容温度範囲の湯が供給されるものである。
【００４０】
このように、この発明によれば、ホテルやその他大規模の事業所のように湯の使用量が多い場合であっても、加熱開始後に熱湯を早急に供給できるようにしながら、湯の使用量が多くなってもその使用量に対応した量の出湯すべき許容温度範囲の湯を常時安定して供給でき、しかも前述したデッドゾーンをなくす等の種々の優れた効果を奏するものである。
【図面の簡単な説明】
【図１】  この発明の一実施例の正面概略図である。
【図２】  この発明の一実施例の加熱状態における水温の推移図である。
【図３】  従来の貯湯槽装置の正面概略図である。
【図４】  従来の貯湯槽装置の加熱状態における水温の推移図である。
【符号の説明】
Ｈ      貯湯槽装置          Ｈ１    貯湯槽装置
Ｔ      加熱ゾーン          Ｗ      貯湯ゾーン
１      貯湯槽              １ａ    水供給管
１ｂ    出湯管
２      加熱装置            ２ａ    加熱部
３      流動装置            ３ａ    ポンプ
３ｂ    吸込口
４ａ    第１温度センサー    ４ｂ    第２温度センサー
４ｃ    第３温度センサー
１１    貯湯槽              １２    加熱装置
１２ａ  加熱部
１４    温度センサー
【図１】
0003661132.tif 000002
【図２】
0003661132.tif 000003
【図３】
0003661132.tif 000004
【図４】
0003661132.tif 000005